(57)【要約】【課題】空調機に温度及び圧力の表示装置を取り付けるに際し、配管加工を削減して現場工事を減らし、作業性を向上させて工期を短縮し、施工コストを削減し、漏水の発生を減少させる。【解決手段】内部流体に直接接触しない温度センサーを冷水管及び温水管のそれぞれの外部に取り付ける。内部流体に直接接触する圧力センサーを冷水管及び温水管のそれぞれの内部に取り付ける。温度センサー及び圧力センサーを温度及び圧力を計算する演算部にそれぞれ電気配線で接続する。空調機の外面に表示用パネルを設置し、表示用パネルと演算部とを電気配線で接続して検出した温度及び圧力の値を表示する。【選択図】　　　　図３
2004069103.tif 000002
【特許請求の範囲】
【請求項１】
空気調和機の内部に配置される冷水管や温水管を流れる流体の温度と圧力を表示する装置であって、
内部流体に直接接触しない温度センサーを冷水管及び温水管のそれぞれの外部に取り付け、
内部流体に直接接触する圧力センサーを冷水管及び温水管のそれぞれの内部に取り付け、
前記温度センサー及び前記圧力センサーを温度及び圧力を計算する演算部にそれぞれ電気配線で接続し、
空気調和機の外面に表示用パネルを設置し、
前記表示用パネルと前記演算部とを電気配線で接続して検出した温度及び圧力の値を表示することを特徴とする空気調和機の管内流体の温度圧力表示装置。
【請求項２】
空気調和機の内部に配置される冷水管や温水管を流れる流体の温度と圧力を表示する装置であって、
内部流体に直接接触しない温度センサーを冷水管及び温水管のそれぞれの外部に取り付け、
内部流体に直接接触する圧力センサーを冷水管及び温水管のそれぞれの内部に取り付け、
前記温度センサー及び前記圧力センサーを温度及び圧力を計算する演算部にそれぞれ電気配線で接続し、
空気調和機の外面に表示用パネルを設置し、
前記表示用パネルと前記演算部とを電気配線で接続して検出した温度及び圧力の値及び前記演算部で計算された温度差および／または圧力差を表示することを特徴とする空気調和機の管内流体の温度圧力表示装置。
【請求項３】
前記温度センサーはサーミスタや熱電対等の電気式感温体である請求項１又は２記載の温度圧力表示装置。
【請求項４】
前記圧力センサーは圧電素子等の電気式感圧体である請求項１乃至３のいずれかに記載の温度圧力表示装置。
【発明の詳細な説明】
【０００１】
【発明の属する技術分野】
本発明は、空気調和機（以下空調機）の内部に配置される冷水管や温水管を流れる流体の温度と圧力を、空調機の外部に表示する装置に関する。
【０００２】
【従来の技術】
空調機の内部には、一般に冷房用の冷水管と暖房用の温水管とが二管式あるいは四管式に配置されており、管内流体の温度や圧力を表示する表示計は空調機本体に設けられていないことが多く、温度や圧力を検出・表示する計器を空調機外部の各配管に直接取付けている。この場合、
Ａ：温度計取付
配管を加工（Ｔ字管接続・鋼管ソケットの溶接・管径の拡大加工など）した後で、流体経路中に温度感温部保護管を内部流体に接触するように挿入し、その保護管に直読式温度計（一般用ガラス製棒状温度計又はバイメタル式温度計等）を挿入する。
Ｂ：圧力計取付
配管を加工（Ｔ字管接続・鋼管ソケットの溶接など）した後で、分岐した配管にバルブを取付けそのバルブを介して直読式圧力計（ブルドン管式圧力計など）を内部流体に接触するように挿入する。
【０００３】
また、管内流体の温度や圧力を表示する表示計を空調機本体に設ける場合、管内流体の温度や圧力を検出・表示する計器を空調機内部の各配管に取付けている。この場合、
Ｃ：温度計取付
配管を加工（Ｔ字管接続・鋼管ソケットの溶接・管径の拡大加工など）した後で、流体経路中に温度感温部保護管を内部流体に接触するように取付け、その保護管に導管付隔測指示温度計の感温部を挿入し、前記温度計の表示部を空調機本体に設ける。
Ｄ：圧力計取付
配管を加工（Ｔ字管接続・鋼管ソケットの溶接など）した後で、分岐した配管にバルブを介して導圧管を接続し、前記導圧管を空調機本体に設けられた直読式圧力計（ブルドン管式圧力計など）に接続する。
【０００４】
しかしながら、管内流体の温度や圧力を検出・表示する計器を空調機外の各配管に直接取り付ける方法では、
（１）空調機の外部に温度計や圧力計を設置するので設置のためのスペースが必要となる
（２）計器の一部が外面から突出した形となって破損する恐れが生じる
（３）配管加工及び計器取付作業が現場作業となって手間がかかる
（４）現場作業のため加工品質が低下して水漏れの原因が生じる可能性がある
などの欠点がある。
【０００５】
管内流体の温度や圧力を検出・表示する計器を空調機内部の配管に取り付ける方法では、
（１）空調機内に導管や導圧管を敷設する作業は内部が狭いため施工性が悪い
（２）導管は定尺で販売されているので現場での寸法に合致せず、検出部と表示部の実際の距離よりも長すぎると精度が低下する
（３）導圧管を長く引き回すと漏水した場合、電気部品に水がかかる危険性が大きい、などの問題があり、表示部の設置に制約が多い。
【０００６】
特開平６−１５９７６６号「多目的表示システム」には、エアコンのシステムに、外気の温度、湿度、雨量、大気圧、光化学スモッグなどを検出するセンサーを設けて天気信号を作成して表示するシステムが記載されている。
【０００７】
【発明が解決しようとする課題】
本発明の目的は、空調機内に配置される冷水管や温水管を流れる流体の温度と圧力を表示するに際し、
Ａ　温度計測において
（１）現場工事を少なくする
（２）表示部の設置位置を自由にする
（３）検出部と表示部との間の連絡作業を容易にする
（４）漏水の原因をなくす
（５）配管部材の種類を少なくし配管接続作業を少なくする
（６）配管抵抗を少なくする
Ｂ　圧力計測において
（１）現場工事を少なくする
（２）表示部の設置位置を自由にする
（３）検出部と表示部との間の連絡作業を容易にする、などにある。
【０００８】
【課題を解決するための手段】
上記課題を達成するため、本発明は、空気調和機の内部に配置される冷水管や温水管を流れる流体の温度と圧力を表示する装置であって、内部流体に直接接触しない温度センサーを冷水管及び温水管のそれぞれの外部に取り付け、内部流体に直接接触する圧力センサーを冷水管及び温水管のそれぞれの内部に取り付け、前記温度センサー及び前記圧力センサーを温度及び圧力を計算する演算部にそれぞれ電気配線で接続し、空調機の外面に表示用パネルを設置し、前記表示用パネルと前記演算部とを電気配線で接続して検出した温度及び圧力の値を表示するようにした温度圧力表示装置を提供する。
【０００９】
好適な態様として前記演算部で計算された温度差および／または圧力差を表示することもできる。
温度センサーはサーミスタや熱電対等の電気式感温体を利用し、圧力センサーは圧電素子等の電気式感圧体を利用することが望ましい。
【００１０】
【作用】
かかる構成に基づき、本発明による温度圧力表示装置によれば、
Ａ　温度計測において
（１）配管加工がないので、現場工事が減り、作業コストが削減される
（２）検出部の取付に配管加工をしないので、漏水の発生が減る
（３）配管部材の種類が減り、配管接続作業が少なくなり、作業コストが削減される
（４）全てが空調機内部に収まるので工場製作が可能となり現場作業が減る
（５）現場工事が減るので工期を短縮できる
（６）現場における施工管理が省力化できる
（７）電気配線で接続するので、表示部の設置位置が自由になり見やすくなる
（８）空調機内部での作業性が向上する
（９）配管内部に検出部が挿入されないので漏水のおそれがなくなる
（１０）配管抵抗が少なくなりポンプ動力が減少する、等の利点が得られる。
【００１１】
Ｂ　圧力計測において
（１）配管加工が最小限で済むので、漏水の可能性が減少する
（２）全てが空調機内部に収まるので工場製作が可能となり現場作業が減る
（３）現場工事が減るので工期を短縮できる
（４）現場における施工管理が省力化できる
（５）電気配線で接続するので、表示部の設置位置が自由になり見やすくなる
（６）空調機内部での作業性が向上する、等の利点が得られる。
以下、本発明による好適な実施形態を添付図面を参照しながら説明する。
【００１２】
【発明の実施の形態】
図１は空調機１０の外面に本発明による温度圧力表示装置１２を適用した例を表している。本発明では空調機１０の外面に表示装置１２を設けた点が１つの特徴となっている。
【００１３】
図２Ａ，Ｂは表示装置１２の表示用パネル（表示盤）の例を表しており、図２Ａの表示用パネル２１と図２Ｂの表示用パネル２２とは、いずれも温度及び圧力として、冷水の進入側（往管）及び戻り側（還管）・温水の進入側（往管）及び戻り側（還管）のそれぞれについて合計８種類の数値を、温度（℃）及び圧力（ＭＰａ）で、電光表示あるいは液晶表示するようになっている。さらに追加の表示として、エアフィルタでの差圧（Ｐａ）も表示できるようになっている。
【００１４】
図３は空調機１０の内部と空調機外側に設けた配管接続部分とを表している。
この例は４管式で、空調機１０のハウジング１４の外側に、冷水管の進入側ＣＳ，冷水管の戻り側ＣＲ，温水管の進入側ＨＳ，温水管の戻り側ＨＲの４つの配管接続ジョイントが設けられている。冷水管３１，３２は冷水コイル１６に接続され、温水管３３，３４は温水コイル１８に接続されている。管路３２，３４の途中には調節弁３５，３６が配置されている。
本発明に基づき、内部流体に直接接触しない電気式の温度センサー４１，４２が冷水管３１，３２の外部に取り付けられており、同様に内部流体に直接接触しない電気式の温度センサー４３，４４が温水管３３，３４の外部に取り付けられている。温度センサー４１〜４４はサーミスター，熱電対などの電気式感温体で構成され、接着テープ，樹脂製の止め具，金具などを用いて配管の外面に固定されており、それぞれ演算部（演算ユニット）６１〜６４を介して温度表示セル８０に電気配線６６で接続されている。
【００１５】
さらに本発明に基づき、配管の一部を加工することにより内部流体に直接接触するように配置された電気式の圧力センサー５１，５２が冷水管３１，３２に直接取り付けられており、同様に内部流体に直接接触する電気式の圧力センサー５３，５４が温水管３３，３４に直接取り付けられている。圧力センサー５１〜５４は圧電素子などの電気式感圧体で構成され、配線が配管の外部に引き出されて固定されており、それぞれ演算部（演算ユニット）７１〜７４を介して圧力表示セル９０に電気配線７６で接続されている。
温度表示セル８０と圧力表示セル９０は組み合わされて図２の表示パネル２１又は２２を構成する。また、これらの表示セル８０，９０に伝達される信号は中央制御監視盤に送られて自動制御に利用することができる。
【００１６】
図２，図３に示したように、空調機内部の風路に配置されたエアフィルタ２４の上流側と下流側の差圧の値を表示する表示セル９１を前記表示パネル２１，２２に一緒に取り付けてもよい。そのため、空調機内部の風路に配置されたエアフィルタ２４の上流側と下流側の風路からそれぞれ導圧管２６を、空調機内部に設けられた１つの差圧センサー２８に接続し、差圧センサー２８で圧力差を電気信号に変換する。差圧センサー２８と演算部７５を、演算部７５と表示部９１をそれぞれ電気配線で接続する。
また、全ての前記センサーと前記演算部は、センサーと演算部とが一体のものを利用してもよいし、全ての前記演算部と前記表示部は、演算部と表示部とが一体のものを利用してもよい。
本発明は空調機の冷温水配管が二管式の場合と四管式の場合との両方に適用することができる。
【００１７】
【発明の効果】
以上詳細に説明した如く、本発明の温度圧力表示装置によれば、空調機設置工事において、配管加工が減少して現場工事が減り、作業性が向上して工期が短縮され、施工コストが削減され、漏水の発生が減るなど、その技術的効果には極めて顕著なものがある。
【図面の簡単な説明】
【図１】本発明による表示装置を備えた空調機の外観斜視図である。
【図２】表示用パネルの例を表す正面図である。
【図３】本発明による表示装置の接続方法を表す配管・配線回路図である。
【符号の説明】
１０　空調機
１２　温度圧力表示装置
１６　冷水コイル
１８　温水コイル
２１，２２　表示用パネル
２８　差圧センサー
３１，３２　冷水配管
３３，３４　温水配管
４１〜４４　温度センサー
５１〜５４　圧力センサー
６１〜６４　演算部
６６，７６　電気配線
７１〜７５　演算部
８０　温度表示セル
９０，９１　圧力表示セル
【図１】
2004069103.tif 000003
【図２】
2004069103.tif 000004
【図３】
2004069103.tif 000005